(57)【要約】【課題】コネクタカバーの取付作業に用いる工具数及び取付作業を行う作業員数を少なくすること。【解決手段】電線を覆う開閉可能な一対のカバー体３１、３１と、一対のカバー体３１、３１の内側に配置され、一端部が一方のカバー体３１に固定され、他端部が他方のカバー体３１に固定される、真っ直ぐな状態と丸まった状態とに変形可能なバンド部材１０と、一対のカバー体３１、３１における少なくとも一方に形成され、間接活線工具によって把持される把持部３８と、を備える引下線用コネクタカバー１であって、一対のカバー体３１、３１は、バンド部材１０が真っ直ぐな状態において開いた状態で維持され、一対のカバー体３１、３１が開いた状態においてバンド部材１０が丸まった状態に変形した場合に、一対のカバー体３１、３１がバンド部材１０の変形に連動して閉じた状態になる。【選択図】図３
2016144328.tif 000002
【特許請求の範囲】
【請求項１】
電線を覆う開閉可能な一対のカバー体と、
当該一対のカバー体の内側に配置され、一端部が一方のカバー体に固定され、他端部が他方のカバー体に固定される、真っ直ぐな状態と丸まった状態とに変形可能な帯板状のバンド部材と、
前記一対のカバー体における少なくとも一方に形成され、間接活線工具によって把持される把持部と、を備え、
前記一対のカバー体は、前記バンド部材が真っ直ぐな状態の場合に開いた状態で維持され、
前記一対のカバー体が開いた状態において前記バンド部材が丸まった状態に変形した場合に、前記一対のカバー体が前記バンド部材の変形に連動して閉じた状態になることを特徴とするコネクタカバー。
【請求項２】
前記一対のカバー体を互いに回動自在に連結するヒンジ部を更に備え、
前記バンド部材は、前記ヒンジ部の両端部にそれぞれ配置され、
前記バンド部材の長手方向とヒンジ部の回動軸方向とは垂直に交差することを特徴とする請求項１記載のコネクタカバー。
【発明の詳細な説明】
【技術分野】
【０００１】
本発明は、電線と分岐線との接続部を絶縁保護するコネクタカバーに関する。
【背景技術】
【０００２】
従来より、高圧配電線から引下線が分岐され、この引下線が柱上変圧器に接続されている。高圧配電線と引下線との接続部分には引下線用のコネクタカバーが取り付けられている。この引下線用のコネクタカバーによって接続部分が絶縁防護される。
【０００３】
図４は、従来の引下線用コネクタカバー３０の構成を示す説明図である。引下線用コネクタカバー３０は、ヒンジ部３２を介して開閉自在に連結される一対のカバー体３１、３１と、電線１００（図５参照）を引き込むための挿入筒部３３、及び電線１００（図５参照）を引き出すための引出筒部３４とを備えている。
【０００４】
カバー体３１、３１の中央部には、引下線用コネクタ（図示せず）を保護するための保護部３５が形成されている。この保護部３５は、等脚台形状の凹部からなる。カバー体３１、３１における、ヒンジ部３２の回動軸方向の一方の側部には、挿入筒部３３を軸方向に二分割した形状の凹部が形成されており、他方の側部には、引出筒部３４を軸方向に二分割した形状の凹部が形成されている。
【０００５】
また、カバー体３１、３１における保護部３５近傍の縁部に閉じ合わせ部３１ａ、３１ａが形成されている。更に、片方のカバー体３１における閉じ合わせ部３１ａの両端部に、嵌合孔３６ａを有する延出片３６が形成されている。また、もう片方のカバー体３１における閉じ合わせ部３１ａの両端部に、嵌合凸部３７ａを有する延出片３７が形成されている。
【０００６】
また、片方のカバー体３１における閉じ合わせ部３１ａの中央部に把持部３８が形成されている。この把持部３８が、一般にヤットコと称されている把持機能を有する間接活線工具によって把持される。
【０００７】
そして、カバー体３１、３１を閉じ、嵌合孔３６ａと嵌合凸部３７ａとを係合させることにより、閉じ合わせ部３１ａ、３１ａ同士が密着し、一対のカバー体３１、３１が一体化して挿入筒部３３及び引出筒部３４が形成される。
【０００８】
図５は、引下線用コネクタカバー３０を電線１００に取り付ける作業の一部を示す説明図である。
引下線用コネクタカバー３０を電線１００に取り付ける作業は、前述したヤットコと称される間接活線工具２００（以下、ヤットコ２００と称する）と、細い金属棒を略三角形に曲げてなるフック形状の先端工具を有するカバー押さえ器２０１とを用いて行われる。
【０００９】
まず、作業員は、カバー体３１、３１が開いた状態で引下線用コネクタカバー３０の把持部３８をヤットコ２００で保持し、ヤットコ２００を操作して引下線用コネクタカバー３０を電線１００に載せる。なお、作業員は、引下線用コネクタカバー３０を電線１００に載せた後も、引下線用コネクタカバー３０がずれたり、電線１００から落下しないようにヤットコ２００で把持した状態を継続する。
【００１０】
次に、別の作業員が、カバー押さえ器２０１を操作し、フック形状の先端工具を引下線用コネクタカバー３０の上方に配置し、ヒンジ部３２に先端工具を引っ掛けながら下方に引っ張る。これにより、カバー体３１、３１が閉じられる。
【００１１】
次に、作業員が、ヤットコ２００を操作して把持部３８を離し、延出片３６、３７をつまんで、嵌合孔３６ａ（図４参照）と嵌合凸部３７ａ（図４参照）とを係合させる。以上の作業によって、引下線用コネクタカバー３０が電線１００に取り付けられる。
【００１２】
また、従来におけるこの種の技術コネクタカバーとしては、特許文献１に記載されたものがある。特許文献１によれば、コネクタカバーの把持部を、間接活線用把持具の各把持片によって任意の方向から把持しても、確実に把持できるようにして、間接活線工事の作業効率を向上させることを可能にする技術について記載されている。
【先行技術文献】
【特許文献】
【００１３】
【特許文献１】特開２０１１−２３９６３５号公報
【発明の概要】
【発明が解決しようとする課題】
【００１４】
ところで、引下線用コネクタカバー３０を電線１００に載せる際には、カバー体３１、３１が大きく開いている方が電線１００に載せ易い。しかしながら、この場合、嵌合孔３６ａと嵌合凸部３７ａとが大きく離間しており、ヤットコ２００で挟むことが困難である。このため、従来の引下線用コネクタカバー３０は、嵌合孔３６ａと嵌合凸部３７ａとを係合させるヤットコ２００と、カバー体３１、３１を閉じた状態にするカバー押さえ器２０１とが必要となり、必ず２人で作業しなければならなかった。
【００１５】
本発明は、このような問題点を解決し、コネクタカバーの取付作業に用いる工具数及び取付作業を行う作業員数を少なくすることを実現したコネクタカバーを提供することを目的とする。
【課題を解決するための手段】
【００１６】
前記目的を達成するため、本発明は、次に記載する構成を備えている。
【００１７】
（１）  電線を覆う開閉可能な一対のカバー体と、当該一対のカバー体の内側に配置され、一端部が一方のカバー体に固定され、他端部が他方のカバー体に固定される、真っ直ぐな状態と丸まった状態とに変形可能な帯板状のバンド部材と、前記一対のカバー体における少なくとも一方に形成され、間接活線工具によって把持される把持部と、を備え、前記一対のカバー体は、前記バンド部材が真っ直ぐな状態において開いた状態で維持され、前記一対のカバー体が開いた状態において前記バンド部材が丸まった状態に変形した場合に、前記一対のカバー体が前記バンド部材の変形に連動して閉じた状態になることを特徴とするコネクタカバー。
【００１８】
（１）によれば、電線に取り付ける前に、一対のカバー体を開いてバンド部材を真っ直ぐな状態にすることにより、一対のカバー体が大きく開いた状態で維持される。このため、間接活線工具を用いてコネクタカバーを把持し、一対のカバー体を電線に載置するまで一対のカバー体が開いた状態にあるため、コネクタカバーの電線への載置が容易に可能になる。しかも、コネクタカバーが電線に載置された時に、バンド部材が電線に押されることによってバンド部材が丸まった状態に変形し、バンド部材の変形に連動して一対のカバー体が自動的に閉じるようになる。このため、コネクタカバーの取り付けにおける作業性が向上し、従来、使用していたカバーを閉じるための押さえ器及び押さえ器を操作する作業員が不用となる。その結果、コネクタカバーの取付作業に用いる工具数及び取付作業を行う作業員数を少なくすることが可能になる。
【００１９】
（２）  前記一対のカバー体を互いに回動自在に連結するヒンジ部を更に備え、前記バンド部材は、前記ヒンジ部の両端部にそれぞれ配置され、前記バンド部材の長手方向とヒンジ部の回動軸方向とは垂直に交差することを特徴とするコネクタカバー。
【００２０】
（２）によれば、コネクタカバーを電線に取り付ける際に、バンド部材が、電線によって局部的に押し当てられる。これにより、バンド部材を真っ直ぐな状態から丸まった状態となるきっかけとなる力がバンド部材に確実に作用するようになり、バンド部材を確実に変形させることが可能になる。
【発明の効果】
【００２１】
本発明によれば、コネクタカバーの取付作業に用いる工具数及び取付作業を行う作業員数を少なくすることが可能になる。
【図面の簡単な説明】
【００２２】
【図１】本発明の一実施形態おける引下線用コネクタカバー１の概略構成を示す説明図である。
【図２】バンド部材１０の単独での動作を示す説明図である。
【図３】本実施形態の引下線用コネクタカバー１を電線１００に取り付ける作業手順を示す説明図である。
【図４】従来の引下線用コネクタカバー３０の構成を示す説明図である。
【図５】従来の引下線用コネクタカバー３０を電線１００に取り付ける作業の一部を示す説明図である。
【発明を実施するための形態】
【００２３】
以下、本発明の実施形態について、図面を参照しながら詳細に説明する。
図１は、本発明の一実施形態おける引下線用コネクタカバー１の概略構成を示す説明図である。なお、図１に示す本実施形態の引下線用コネクタカバー１の構成において、図４に示す従来の引下線用コネクタカバー３０の部材と同一の部材については同一の符号を付して、詳細な説明は省略する。また、以下の説明の便宜上、引下線用コネクタカバー１の内部において、閉じ合わせ部３１ａ、３１ａ側を前方、ヒンジ部３２側を後方と称することにする。
【００２４】
引下線用コネクタカバー１は、図４に示す引下線用コネクタカバー３０に対して、バンド部材１０を更に取り付けたものである。図１は、引下線用コネクタカバー１が開放した状態を示すものである。引下線用コネクタカバー１が閉じた状態の外観は、図５に示す従来の引下線用コネクタカバー３０の外観と同一である。
【００２５】
図１に示すように、バンド部材１０は、カバー体３１、３１内におけるヒンジ部３２の両端部にそれぞれ配置されており、バンド部材１０の一端部は一方のカバー体３１に固定され、バンド部材１０の他端部は他方のカバー体３１に固定される。
【００２６】
また、バンド部材１０は、カバー体３１、３１が開かれた場合にヒンジ部３２の前方で張設された状態となり、バンド部材１０の板面を正面視した場合に、バンド部材１０の長手方向とヒンジ部３２の回動軸方向とが垂直に交差する。
【００２７】
図２は、バンド部材１０の単独での動作を示す説明図である。
バンド部材１０は、長尺に延びる帯板状の弾性変形可能な金属部材を含んで構成されている。バンド部材１０は、バンド部材１０を長手方向に対して垂直方向の断面形状が、湾曲していない直線状の第１状態と、表側に凸となるように湾曲した第２状態とのいずれかに切り替わる機能を備えている。
【００２８】
バンド部材１０は、通常は、第１状態にあり、この場合、図２（ａ）に示すように丸まった状態になる。また、バンド部材１０は、丸まった状態から真っ直ぐな状態に弾性変形させ、更に、第２状態に切り替えることにより、図２（ｂ）に示すように、バンド部材１０は、真っ直ぐな帯板形状で維持される。
【００２９】
カバー体３１、３１内においてバンド部材１０は、図１に示すように、バンド部材１０の裏側がヒンジ部３２に対向し、表側が閉じ合わせ部３１ａ、３１ａに向けられるように配置される。このため、バンド部材１０は、カバー体３１、３１内において、第２の状態の場合には閉じ合わせ部３１ａ、３１ａ側に凸になり、バンド部材１０は真っ直ぐな状態で維持される。これにより、カバー体３１、３１は開いた状態で維持される。また、第１の状態の場合にはヒンジ部３２側に丸まるようになり、バンド部材１０の両端部が互いに近づこうとする。これにより、バンド部材１０からカバー体３１、３１に閉じる方向の力が加わり、カバー体３１、３１は閉じた状態で維持される。
【００３０】
図３は、本実施形態の引下線用コネクタカバー１を電線１００に取り付ける作業手順を示す説明図である。
引下線用コネクタカバー１を電線１００に取り付ける前に、図３（ａ）に示すように、一対のカバー体３１、３１が閉じた状態の場合には、作業員は一対のカバー体３１、３１を開き、バンド部材１０を第２湾曲状態に切り替えて真っ直ぐな状態にして、一対のカバー体３１、３１を開いた状態で維持させる。
【００３１】
次に、作業員は、カバー体３１、３１が開いた状態で引下線用コネクタカバー１の把持部３８（図３参照）をヤットコ２００で保持する。次に、作業員は、ヤットコ２００を操作して、図３（ｂ）に示すように一対のカバー体３１、３１を電線１００に近づけ、バンド部材１０を電線１００に載せる。更に、作業員は、ヤットコ２００を操作して、図３（ｃ）に示すようにバンド部材１０を電線１００に押し付ける。この時、図３（ｄ）に示すように、バンド部材１０は第１状態に切り替わって丸まった状態に変形する。このバンド部材１０の変形に連動して、一対のカバー体３１、３１が自動的に閉じる。これにより、引下線用コネクタカバー１は、作業員が把持部３８からヤットコ２００を離しても、電線１００上から落下しないように載置される。
【００３２】
そして、作業員は、ヤットコ２００を操作して把持部３８を離し、更に、作業員は、ヤットコ２００を操作して、図３（ｅ）に示すように、延出片３６、３７をつまんで嵌合孔３６ａと嵌合凸部３７ａとを係合させる。この際、電線１００が挿入筒部３３及び引出筒部３４から外れている場合には、延出片３６、３７を軽くつまんだ状態で、電線１００が挿入筒部３３及び引出筒部３４に収容されるように調整してから嵌合孔３６ａと嵌合凸部３７ａとを係合させる。以上の作業によって、引下線用コネクタカバー１が電線１００に取り付けられる。
【００３３】
以上説明したように構成された本実施形態によれば、一対のカバー体３１、３１を電線１００に載置するまで一対のカバー体３１、３１が開いた状態にあるため、一対のカバー体３１、３１の電線１００への載置が容易に可能になる。しかも、一対のカバー体３１、３１が電線１００に載置された時に、バンド部材１０が電線１００に押されることによってバンド部材１０が変形して丸まった状態になり、バンド部材の変形に連動して一対のカバー体が自動的に閉じるようになる。このように、従来、使用していたカバー体を閉じるための押さえ器が不用となり、しかも、１人の作業員によって引下線用コネクタカバー１の取付作業を行うことが可能になる。このように、本実施形態によれば、引下線用コネクタカバー１の取付作業に用いる工具数及び取付作業を行う作業員数を少なくすることを実現した引下線用コネクタカバー１を提供することが可能になる。
【００３４】
また本実施形態によれば、バンド部材１０は、ヒンジ部３２の両端部にそれぞれ配置され、バンド部材１０の長手方向とヒンジ部３２の回動軸方向とは垂直に交差している。このため、バンド部材１０が、電線１００によって局部的に押し当てられる。これにより、バンド部材１０が真っ直ぐな状態から丸まった状態となるためのきっかけとなる力がバンド部材１０に作用するようになり、バンド部材１０を確実に変形させることが可能になる。また、引下線用コネクタカバー１を電線１００に載置した際に、バンド部材１０、１０によって略同じタイミングで変形するため、一対のカバー体３１、３１における挿入筒部３３側と引出筒部３４側とが略同じタイミングで閉じられる。これにより、一対のカバー体３１、３１における挿入筒部３３側及び引出筒部３４側のいずれかが開いた状態で維持されるような事象が低減可能になる。
【００３５】
なお、本実施形態によれば、引下線用コネクタカバーを例として説明したが、本発明は、電線に取り付けるコネクタカバーであれば適用可能である。
【符号の説明】
【００３６】
１  引下線用コネクタカバー
１０  バンド部材
３０  引下線用コネクタカバー
３１  カバー体
３１ａ  閉じ合わせ部
３２  ヒンジ部
３３  挿入筒部
３４  引出筒部
３５  保護部
３６  延出片
３６ａ  嵌合孔
３７  延出片
３７ａ  嵌合凸部
３８  把持部
１００  電線
２００  間接活線工具（ヤットコ）
２０１  カバー押さえ器
【図１】
2016144328.tif 000003
【図２】
2016144328.tif 000004
【図３】
2016144328.tif 000005
【図４】
2016144328.tif 000006
【図５】
2016144328.tif 000007